【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
サブフレームのバンドル上でバンドルされた送信として送られるダウンリンク制御チャネルを処理する方法であって、前記方法は、ユーザ機器（ＵＥ）によって実行され、
間欠受信（ＤＲＸ）動作モードのオン区間内で、前記制御チャネルを監視するための複数の可能な開始位置を決定することと、
前記決定に基づいて、限られた数のダウンリンクサブフレームにおいて前記制御チャネルを監視することと、
を含む方法。
【請求項２】
前記決定は、
データの並列受信を阻むように設計されたダウンリンクグラントに対する制限、または
データの並列送信を阻むように設計されたアップリンクグラントに対する制限のうちの少なくとも一方に、少なくとも一部基づいて行われる、請求項１に記載の方法。
【請求項３】
ダウンリンク制御チャネルの復号が成功した後に、前記オン区間内で、ダウンリンク制御チャネルの監視をやめること、
をさらに含む、請求項１に記載の方法。
【請求項４】
前記決定することは、
前記オン区間の第１の送信時間間隔（ＴＴＩ）にそろえられているか、または
前記オン区間の開始からのオフセット期間にそろえられている
のうちの少なくとも一方である、監視するための開始位置を決定することを含む、請求項１に記載の方法。
【請求項５】
前記複数の可能な開始位置は、少なくとも１つの送信時間間隔（ＴＴＩ）だけ離れ、
前記オン区間は、前記ダウンリンク制御チャネルのバンドリングサイズよりも長く、
前記可能な開始位置は、前記バンドリングサイズだけ離れている、
請求項４に記載の方法。
【請求項６】
前記決定することは、
ダウンリンク制御チャネルが復号に成功するまで、前記オン区間において復号することによって開始位置を見つけることと、
前記開始位置に基づいて１つまたは複数の後続のダウンリンク制御チャネルを復号することと、
を含む、請求項１に記載の方法。
【請求項７】
前記決定することは、
前記ＤＲＸ動作モードのためのパラメータのシグナリングに基づいて前記制御チャネルの監視をいつ開始するかを決定すること、
を含む、請求項１に記載の方法。
【請求項８】
基地局によって、サブフレームのバンドル上でバンドルされた送信としてダウンリンク制御チャネルを送信する方法であって、
前記制御チャネルの監視をいつ開始するかを示す情報をユーザ機器（ＵＥ）に提供することと、ここにおいて、前記情報は、間欠受信（ＤＲＸ）オン区間とともに、前記オン区間内で前記制御チャネルを監視するための複数の可能な開始位置を示す、
バンドルされた送信として前記ダウンリンク制御チャネルを送ることと、
を含む方法。
【請求項９】
前記情報を提供することは、グラントを送信することを含み、グラントは、データの並列受信またはデータの並列送信のうちの少なくとも一方を阻むように制限される、請求項８に記載の方法。
【請求項１０】
前記複数の可能な開始位置は、少なくとも１つの送信時間間隔（ＴＴＩ）だけ離れ、または、前記情報を提供することは、前記ＤＲＸ動作モードのためのパラメータのシグナリングを含む、請求項８に記載の方法。
【請求項１１】
前記オン区間は、前記ダウンリンク制御チャネルのバンドリングサイズよりも長く、
前記可能な開始位置は、前記バンドリングサイズだけ離れている、
請求項８に記載の方法。
【請求項１２】
前記情報を提供することは、
バンドルされた送信が続く予定であることを示すシグナリングを前記ＵＥに送ること、
を含む、請求項８に記載の方法。
【請求項１３】
前記シグナリングは、バンドルされたグラントを示す制御チャネル中の１つまたは複数のビットによって提供され、または、前記シグナリングは、制御またはデータ送信の１つまたは複数のビットによって提供される、請求項１２に記載の方法。
【請求項１４】
請求項１から８のうちのいずれか一項の方法を実行するための手段を備えるユーザ機器、または、請求項８から１３のうちのいずれか一項の方法を実行するための手段を備える基地局。
【請求項１５】
コンピュータプログラム製品であって、
ユーザ機器のプロセッサによって実行されると請求項１から８のうちのいずれか一項の方法を実行する命令、または、
基地局のプロセッサによって実行されると請求項８から１３のうちのいずれか一項の方法を実行する命令、を備えるコンピュータプログラム製品。
【手続補正２】
【補正対象書類名】明細書
【補正対象項目名】００８６
【補正方法】変更
【補正の内容】
【００８６】
[0099]本開示についての以上の説明は、いかなる当業者も本開示を作成または使用することができるようにするために提供される。本開示への種々の修正は当業者には容易に明らかとなり、本明細書で規定された一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ユーザ機器（ＵＥ）によって、サブフレームのバンドル上でバンドルされた送信として送られるダウンリンク制御チャネルを処理する方法であって、
前記制御チャネルの監視をいつ開始するかを決定することと、
前記決定に基づいて、限られた数のダウンリンクサブフレームにおいて前記制御チャネルを監視することと、
を含む方法。
［Ｃ２］
前記決定は、
データの並列受信を阻むように設計されたダウンリンクグラントに対する制限、または
データの並列送信を阻むように設計されたアップリンクグラントに対する制限のうちの少なくとも一方に、少なくとも一部基づいて行われる、Ｃ１に記載の方法。
［Ｃ３］
前記決定することは、
間欠受信（ＤＲＸ）動作モードのオン区間内で、前記制御チャネルの監視をいつ開始するかを決定すること、
を含む、Ｃ１に記載の方法。
［Ｃ４］
前記決定することは、
前記オン区間内で前記制御チャネルを監視するための複数の可能な開始位置を決定すること、
を含む、Ｃ３に記載の方法。
［Ｃ５］
ダウンリンク制御チャネルの復号が成功した後に、前記オン区間内で、ダウンリンク制御チャネルの監視をやめること、
をさらに含む、Ｃ３に記載の方法。
［Ｃ６］
前記決定することは、
前記オン区間の第１の送信時間間隔（ＴＴＩ）にそろえられているか、または
前記オン区間の開始からのオフセット期間にそろえられている
のうちの少なくとも一方である、監視するための開始位置を決定することを含む、Ｃ３に記載の方法。
［Ｃ７］
前記複数の可能な開始位置は、少なくとも１つの送信時間間隔（ＴＴＩ）だけ離れている、Ｃ６に記載の方法。
［Ｃ８］
前記オン区間は、前記ダウンリンク制御チャネルのバンドリングサイズよりも長く、
前記可能な開始位置は、前記バンドリングサイズだけ離れている、
Ｃ７に記載の方法。
［Ｃ９］
前記決定することは、
ダウンリンク制御チャネルが復号に成功するまで、オン区間において復号することによって開始位置を見つけることと、
前記開始位置に基づいて１つまたは複数の後続のダウンリンク制御チャネルを復号することと、
を含む、Ｃ３に記載の方法。
［Ｃ１０］
前記決定することは、
前記ＤＲＸ動作モードのためのパラメータのシグナリングに基づいて前記制御チャネルの監視をいつ開始するかを決定すること、
を含む、Ｃ３に記載の方法。
［Ｃ１１］
前記決定することは、
バンドルされた送信が続く予定であることを示すシグナリングを受信すること、
を含む、Ｃ１に記載の方法。
［Ｃ１２］
シグナリングが受信されなかった後にインスタンスを監視する際に、少なくともある期間の間、ダウンリンク制御チャネルの監視をやめること、
をさらに含む、Ｃ１１に記載の方法。
［Ｃ１３］
前記シグナリングは、バンドルされたグラントを示す制御チャネル中の１つまたは複数のビットによって提供される、Ｃ１１に記載の方法。
［Ｃ１４］
前記シグナリングは、制御またはデータ送信の１つまたは複数のビットによって提供される、Ｃ１１に記載の方法。
［Ｃ１５］
基地局によって、サブフレームのバンドル上でバンドルされた送信としてダウンリンク制御チャネルを送信する方法であって、
前記制御チャネルの監視をいつ開始するかを示す情報をユーザ機器（ＵＥ）に提供することと、
バンドルされた送信として前記ダウンリンク制御チャネルを送ることと、
を含む方法。
［Ｃ１６］
前記情報を提供することは、グラントを送信することを含み、グラントは、データの並列受信またはデータの並列送信のうちの少なくとも一方を阻むように制限される、Ｃ１５に記載の方法。
［Ｃ１７］
前記情報は、間欠受信（ＤＲＸ）オン区間で、前記オン区間内に前記制御チャネルを監視するための複数の可能な開始位置を示す、Ｃ１５に記載の方法。
［Ｃ１８］
前記複数の可能な開始位置は、少なくとも１つの送信時間間隔（ＴＴＩ）だけ離れている、Ｃ１７に記載の方法。
［Ｃ１９］
前記オン区間は、前記ダウンリンク制御チャネルのバンドリングサイズよりも長く、
前記可能な開始位置は、前記バンドリングサイズだけ離れている、
Ｃ１７に記載の方法。
［Ｃ２０］
前記情報を提供することは、
前記ＤＲＸ動作モードのためのパラメータのシグナリング
を含む、Ｃ１７に記載の方法。
［Ｃ２１］
前記情報を提供することは、
バンドルされた送信が続く予定であることを示すシグナリングを前記ＵＥに送ること、
を含む、Ｃ１５に記載の方法。
［Ｃ２２］
前記シグナリングは、バンドルされたグラントを示す制御チャネル中の１つまたは複数のビットによって提供される、Ｃ２１に記載の方法。
［Ｃ２３］
前記シグナリングが、制御またはデータ送信の１つまたは複数のビットによって提供される、Ｃ２１に記載の方法。
［Ｃ２４］
ユーザ機器（ＵＥ）によって、サブフレームのバンドル上でバンドルされた送信として送られるダウンリンク制御チャネルを処理するための装置であって、
前記制御チャネルの監視をいつ開始するかを決定し、前記決定に基づいて、限られた数のダウンリンクサブフレームにおいて前記制御チャネルを監視するように構成された少なくとも１つのプロセッサと、
前記少なくとも１つのプロセッサと結合されたメモリと、
を備える装置。
［Ｃ２５］
基地局によって、サブフレームのバンドル上でバンドルされた送信としてダウンリンク制御チャネルを送信するための装置であって、
前記制御チャネルの監視をいつ開始するかを示す情報をユーザ機器（ＵＥ）に提供し、バンドルされた送信として前記ダウンリンク制御チャネルを送るように構成された少なくとも１つのプロセッサと、
前記少なくとも１つのプロセッサと結合されたメモリと、
を備える装置。